(57)【特許請求の範囲】
【請求項１】
エレベーターの平常運転時に、
前記エレベーターのかごの上方または下方において前記かごから離れて設けられ、回転しない状態に維持される整風カバーと、
前記整風カバーに隣接し、前記かごの中央側の縁部が回転自在に支持され、前記エレベーターの平常運転時において前記整風カバーを回転させずに前記かごが上昇している際に前記かごの外側の縁部が前記かごの中央側の縁部よりも下方となるように傾斜し、前記エレベーターの平常運転時において前記整風カバーを回転させずに前記かごが下降している際に前記かごの外側の縁部が前記かごの中央側の縁部よりも上方となるように傾斜する可動体と、
を備えたエレベーターの整風システム。
【請求項２】
前記可動体は、前記かごが昇降する際の風圧で前記かごの中央側の縁部を軸として回転する請求項１に記載のエレベーターの整風システム。
【請求項３】
前記かごが上昇している際に前記可動体における前記かごの外側の縁部が前記かごの中央側の縁部よりも下方となるように前記可動体を回転させ、前記かごが下降している際に前記可動体における前記かごの外側の縁部が前記かごの中央側の縁部よりも上方となるように前記可動体を回転させるアクチュエーター、
を備えた請求項１に記載のエレベーターの整風システム。
【請求項４】
前記可動体は、
水平方向に並んで設けられ、前記かごの中央側の縁部が回転自在に支持され、前記かごが上昇している際に前記かごの外側の縁部が前記かごの中央側の縁部よりも下方となるように傾斜し、前記かごが下降している際に前記かごの外側の縁部が前記かごの中央側の縁部よりも上方となるように傾斜する複数の可動板、
を備えた請求項１に記載のエレベーターの整風システム。
【請求項５】
前記複数の可動板を接続する接続体、
を備えた請求項４に記載のエレベーターの整風システム。
【請求項６】
前記複数の可動板は、同一の回転軸で回転する請求項４または請求項５に記載のエレベーターの整風システム。
【請求項７】
前記可動体は、水平投影面上において前記かごの外縁部よりも内側に配置された請求項１から請求項６のいずれか一項に記載のエレベーターの整風システム。
【請求項８】
エレベーターのかごの上方において前記かごから離れて設けられた整風カバーと、
前記かごの一側において前記整風カバーの縁部に隣接し、前記かごの中央側の縁部が回転自在に支持された主可動体と、
前記かごの他側において前記整風カバーの縁部に隣接し、前記かごの中央側の縁部が回転自在に支持され、前記主可動体の表面積よりも小さい表面積を有した従可動体と、
前記主可動体と前記従可動体とに対して前記かごとは反対側に設けられ、前記主可動体と前記従可動体とに連結された連結体と、
を備え、
前記主可動体は、前記かごが上昇している際の風圧で前記かごの外側の縁部が前記かごの中央側の縁部よりも下方となるように傾斜し、
前記従可動体は、前記かごが上昇している際に前記連結体を介して前記主可動体に連動することで、前記かごの外側の縁部が前記かごの中央側の縁部よりも上方となるように傾斜するエレベーターの整風システム。
【請求項９】
エレベーターのかごの下方において前記かごから離れて設けられた整風カバーと、
前記かごの一側において前記整風カバーの縁部に隣接し、前記かごの中央側の縁部が回転自在に支持された主可動体と、
前記かごの他側において前記整風カバーの縁部に隣接し、前記かごの中央側の縁部が回転自在に支持され、前記主可動体の表面積よりも小さい表面積を有した従可動体と、
前記主可動体と前記従可動体とに対して前記かごとは反対側に設けられ、前記主可動体と前記従可動体とに連結された連結体と、
を備え、
前記主可動体は、前記かごが下降している際の風圧で前記かごの外側の縁部が前記かごの中央側の縁部よりも上方となるように傾斜し、
前記従可動体は、前記かごが下降している際に前記連結体を介して前記主可動体に連動することで、前記かごの外側の縁部が前記かごの中央側の縁部よりも下方となるように傾斜するエレベーターの整風システム。
【請求項１０】
前記整風カバーは、
前記かごの上方において前記かごの中央側に固定された固定部と、
前記固定部の縁部に対して回転自在に設けられ、前記エレベーターの平常運転時において前記かごに近づけられ、前記エレベーターのメンテナンス時において前記かごの外側の縁部が上方に立ち上げられる可動部と、
を備えた請求項１から請求項９のいずれか一項に記載のエレベーターの整風システム。
【請求項１１】
前記整風カバーは、
前記かごの下方において前記かごの中央側に固定された固定部と、
前記固定部の縁部に対して回転自在に設けられ、前記エレベーターの平常運転時において前記かごに近づけられ、前記エレベーターのメンテナンス時において前記かごの外側の縁部が下方に垂れ下げられる可動部と、
を備えた請求項１から請求項９のいずれか一項に記載のエレベーターの整風システム。
【請求項１２】
前記整風カバーは、前記エレベーターの平常運転時において前記かごに近づけられ、前記エレベーターのメンテナンス時において前記かごから遠ざけられる請求項１から請求項９のいずれか一項に記載のエレベーターの整風システム。
【請求項１３】
エレベーターの平常運転時に、
前記エレベーターのかごの上方において前記かごから離れて設けられ、回転しない状態に維持される上側整風カバーと、
前記かごの下方において前記かごから離れて設けられ、回転しない状態に維持される下側整風カバーと、
前記上側整風カバーに隣接し、前記かごの中央側の縁部が回転自在に支持され、前記エレベーターの平常運転時において前記上側整風カバーを回転させずに前記かごが上昇している際に前記かごの外側の縁部が前記かごの中央側の縁部よりも下方となるように傾斜し、前記エレベーターの平常運転時において前記上側整風カバーを回転させずに前記かごが下降している際に前記かごの外側の縁部が前記かごの中央側の縁部よりも上方となるように傾斜する上側可動体と、
前記下側整風カバーに隣接し、前記かごの中央側の縁部が回転自在に支持され、前記エレベーターの平常運転時において前記下側整風カバーを回転させずに前記かごが上昇している際に前記かごの外側の縁部が前記かごの中央側の縁部よりも下方となるように傾斜し、前記エレベーターの平常運転時において前記下側整風カバーを回転させずに前記かごが下降している際に前記かごの外側の縁部が前記かごの中央側の縁部よりも上方となるように傾斜する下側可動体と、
を備えたエレベーターの整風システム。
【請求項１４】
前記上側可動体と前記下側可動体とは、前記かごが昇降する際の風圧で前記かごの中央側の縁部を軸として回転する請求項１３に記載のエレベーターの整風システム。
【請求項１５】
前記かごが上昇している際に前記上側可動体における前記かごの外側の縁部が前記かごの中央側の縁部よりも下方となるように前記上側可動体を回転させ、前記かごが下降している際に前記上側可動体における前記かごの外側の縁部が前記かごの中央側の縁部よりも上方となるように前記上側可動体を回転させる上側アクチュエーターと、
前記かごが上昇している際に前記下側可動体における前記かごの外側の縁部が前記かごの中央側の縁部よりも下方となるように前記下側可動体を回転させ、前記かごが下降している際に前記下側可動体における前記かごの外側の縁部が前記かごの中央側の縁部よりも上方となるように前記下側可動体を回転させる下側アクチュエーターと、
を備えた請求項１３に記載のエレベーターの整風システム。
【請求項１６】
前記上側アクチュエーターと前記下側アクチュエーターとは、前記上側可動体の回転角度と前記下側可動体の回転角度とが一致するように動作する請求項１５に記載のエレベーターの整風システム。
【請求項１７】
前記上側可動体は、
水平方向に並んで設けられ、前記かごの中央側の縁部が回転自在に支持され、前記かごが上昇している際に前記かごの外側の縁部が前記かごの中央側の縁部よりも下方となるように傾斜し、前記かごが下降している際に前記かごの外側の縁部が前記かごの中央側の縁部よりも上方となるように傾斜する複数の上側可動板、
を備え、
前記下側可動体は、
水平方向に並んで設けられ、前記かごの中央側の縁部が回転自在に支持され、前記かご２が上昇している際に前記かごの外側の縁部が前記かごの中央側の縁部よりも下方となるように傾斜し、前記かごが下降している際に前記かごの外側の縁部が前記かご２の中央側の縁部よりも上方となるように傾斜する複数の下側可動板、
を備えた請求項１３に記載のエレベーターの整風システム。
【請求項１８】
前記複数の上側可動板を接続する上側接続体と、
前記複数の下側可動板を接続する下側接続体と、
を備えた請求項１７に記載のエレベーターの整風システム。
【請求項１９】
前記複数の上側可動板は、同一の回転軸で回転し、
前記複数の下側可動板は、同一の回転軸で回転する請求項１７または請求項１８に記載のエレベーターの整風システム。
【請求項２０】
前記上側可動体と前記下側可動体とは、水平投影面上において前記かごの外縁部よりも内側に配置された請求項１３から請求項１９のいずれか一項に記載のエレベーターの整風システム。
【発明の詳細な説明】
【技術分野】
【０００１】
本開示は、エレベーター整風システムに関する。
【背景技術】
【０００２】
特許文献１は、エレベーターの整風システムを開示する。当該整風システムによれば、かごの内部の騒音を抑制し得る。
【先行技術文献】
【特許文献】
【０００３】
【特許文献１】日本特開２００３−１１８９５４号公報
【発明の概要】
【発明が解決しようとする課題】
【０００４】
しかしながら、特許文献１に記載の整風システムの形状は複雑である。このため、整風システムの加工費および据付費が高くなる。【０００５】
本開示は、上述の課題を解決するためになされた。本開示の目的は、簡単な構成で、かごの昇降時において、かごの内部の騒音を抑制することができるエレベーターの整風システムを提供することである。
【課題を解決するための手段】
【０００６】
本開示に係るエレベーターの整風システムは、エレベーターの平常運転時に、前記エレベーターのかごの上方または下方において前記かごから離れて設けられ、回転しない状態に維持される整風カバーと、前記整風カバーに隣接し、前記エレベーターの平常運転時において前記整風カバーを回転させずに前記かごの中央側の縁部が回転自在に支持され、前記かごが上昇している際に前記かごの外側の縁部が前記かごの中央側の縁部よりも下方となるように傾斜し、前記エレベーターの平常運転時において前記整風カバーを回転させずに前記かごが下降している際に前記かごの外側の縁部が前記かごの中央側の縁部よりも上方となるように傾斜する可動体と、を備えた。
【０００７】
本開示に係るエレベーターの整風システムは、エレベーターのかごの上方において前記かごから離れて設けられた整風カバーと、前記かごの一側において前記整風カバーの縁部に隣接し、前記かごの中央側の縁部が回転自在に支持された主可動体と、前記かごの他側において前記整風カバーの縁部に隣接し、前記かごの中央側の縁部が回転自在に支持され、前記主可動体の表面積よりも小さい表面積を有した従可動体と、前記主可動体と前記従可動体とに対して前記かごとは反対側に設けられ、前記主可動体と前記従可動体とに連結された連結体と、を備え、前記主可動体は、前記かごが上昇している際の風圧で前記かごの外側の縁部が前記かごの中央側の縁部よりも下方となるように傾斜し、前記従可動体は、前記かごが上昇している際に前記連結体を介して前記主可動体に連動することで、前記かごの外側の縁部が前記かごの中央側の縁部よりも上方となるように傾斜する。【０００８】
本開示に係るエレベーターの整風システムは、エレベーターのかごの下方において前記かごから離れて設けられた整風カバーと、前記かごの一側において前記整風カバーの縁部に隣接し、前記かごの中央側の縁部が回転自在に支持された主可動体と、前記かごの他側において前記整風カバーの縁部に隣接し、前記かごの中央側の縁部が回転自在に支持され、前記主可動体の表面積よりも小さい表面積を有した従可動体と、前記主可動体と前記従可動体とに対して前記かごとは反対側に設けられ、前記主可動体と前記従可動体とに連結された連結体と、を備え、前記主可動体は、前記かごが下降している際の風圧で前記かごの外側の縁部が前記かごの中央側の縁部よりも上方となるように傾斜し、前記従可動体は、前記かごが下降している際に前記連結体を介して前記主可動体に連動することで、前記かごの外側の縁部が前記かごの中央側の縁部よりも下方となるように傾斜する。【０００９】
本開示に係るエレベーターの整風システムは、エレベーターの平常運転時に、前記エレベーターのかごの上方において前記かごから離れて設けられ、回転しない状態に維持される上側整風カバーと、前記かごの下方において前記かごから離れて設けられ、回転しない状態に維持される下側整風カバーと、前記上側整風カバーに隣接し、前記かごの中央側の縁部が回転自在に支持され、前記エレベーターの平常運転時において前記上側整風カバーを回転させずに前記かごが上昇している際に前記かごの外側の縁部が前記かごの中央側の縁部よりも下方となるように傾斜し、前記エレベーターの平常運転時において前記上側整風カバーを回転させずに前記かごが下降している際に前記かごの外側の縁部が前記かごの中央側の縁部よりも上方となるように傾斜する上側可動体と、前記下側整風カバーに隣接し、前記かごの中央側の縁部が回転自在に支持され、前記エレベーターの平常運転時において前記下側整風カバーを回転させずに前記かごが上昇している際に前記かごの外側の縁部が前記かごの中央側の縁部よりも下方となるように傾斜し、前記エレベーターの平常運転時において前記下側整風カバーを回転させずに前記かごが下降している際に前記かごの外側の縁部が前記かごの中央側の縁部よりも上方となるように傾斜する下側可動体と、を備えた。
【発明の効果】
【００１０】
本開示によれば、上側可動体は、かごの中央側の縁部が回転自在に支持される。上側可動体は、かごが上昇している際にかごの外側の縁部がかごの中央側の縁部よりも下方となるように傾斜する。可動体は、かごが下降している際にかごの外側の縁部がかごの中央側の縁部よりも上方となるように傾斜する。このため、簡単な構成で、かごの昇降時において、かごの内部の騒音を抑制することができる。
【図面の簡単な説明】
【００１１】
【図１】実施の形態１におけるエレベーターの整風システムが適用されるエレベーターの要部の側面図である。
【図２】実施の形態１におけるエレベーターの整風システムが適用されるエレベーターの要部の上面図である。
【図３】実施の形態１におけるエレベーターの整風システムが適用されるエレベーターの要部の側面図である。
【図４】実施の形態１におけるエレベーターの整風システムが適用されるエレベーターの要部の側面図である。
【図５】実施の形態２におけるエレベーターの整風システムが適用されるエレベーターの要部の側面図である。
【図６】実施の形態２におけるエレベーターの整風システムが適用されるエレベーターの要部の側面図である。
【図７】実施の形態３におけるエレベーターの整風システムが適用されるエレベーターの要部の側面図である。
【図８】実施の形態３におけるエレベーターの整風システムが適用されるエレベーターの要部の側面図である。
【図９】実施の形態４におけるエレベーターの整風システムが適用されるエレベーターの要部の上面図である。
【図１０】実施の形態４におけるエレベーターの整風システムが適用されるエレベーターの要部の底面図である。
【図１１】実施の形態５におけるエレベーターの整風システムが適用されるエレベーターの要部の上面図である。
【図１２】実施の形態５におけるエレベーターの整風システムが適用されるエレベーターの要部の底面図である。
【図１３】実施の形態６におけるエレベーターの整風システムが適用されるエレベーターの要部の正面図である。
【図１４】実施の形態６におけるエレベーターの整風システムが適用されるエレベーターの要部の正面図である。
【図１５】実施の形態７におけるエレベーターの整風システムが適用されるエレベーターのかごの正面図である。
【図１６】実施の形態８におけるエレベーターの整風システムが適用されるエレベーターのかごの正面図である。
【図１７】実施の形態９におけるエレベーターの整風システムが適用されるエレベーターのかごの側面図である。
【図１８】実施の形態１０におけるエレベーターの整風システムが適用されるエレベーターのかごの側面図である。
【発明を実施するための形態】
【００１２】
実施の形態について添付の図面に従って説明する。なお、各図中、同一または相当する部分には同一の符号が付される。当該部分の重複説明は適宜に簡略化ないし省略する。
【００１３】
実施の形態１．
図１は実施の形態１におけるエレベーターの整風システムが適用されるエレベーターの要部の側面図である。図２は実施の形態１におけるエレベーターの整風システムが適用されるエレベーターの要部の上面図である。
【００１４】
図１と図２とのエレベーターにおいて、図示されない巻上機は、昇降路または機械室に設けられる。主ロープ１は、巻上機に巻き掛けられる。
【００１５】
かご２は、直方体状に形成される。かご２は、昇降路の内部に設けられる。かご枠３は、かご２を囲む。かご枠３は、かご２を支持する。具体的には、かご枠３は、上枠４と下枠５と一対の縦柱６とを備える。上枠４は、かご２の上方に配置される。上枠４は、主ロープ１の一側に連結される。下枠５は、かご２の下方に配置される。一対の縦枠の一方は、かご２の一側の外方に配置される。一対の縦枠の一方は、上枠４の一側と下枠５の一側とを連結する。一対の縦枠の他方は、かご２の他側の外方に配置される。一対の縦枠の一他方は、上枠４の他側と下枠５の他側とを連結する。
【００１６】
ドア７は、矩形状に形成される。ドア７は、かご２における図示されない乗場の側に設けられる。ドア７は、かご２の出入口を開閉し得るように設けられる。エプロン８は、ドア７の直下においてかご２の下縁部に取り付けられる。エプロン８は、利用者等の落下防止を目的として取り付けられる。
【００１７】
カウンターウェイト９は、直方体状に形成される。カウンターウェイト９は、昇降路の内部に設けられる。カウンターウェイト９は、かご２に対して図示されない乗場の側とは反対側に配置される。カウンターウェイト９の上部は、主ロープ１の他側に連結される。
【００１８】
例えば、整風システムは、かご２の上方に設けられる。整風システムは、かご２の内部の騒音の低減を目的として設けられる。整風システムは、上側整風装置１０を備える。上側整風装置１０は、かご２の上方に設けられる。上側整風装置１０は、上側整風カバー１１と上側可動体１２と上側回転軸１３と上側付勢体１４とを備える。
【００１９】
上側整風カバー１１は、矩形状に形成される。上側整風カバー１１は、かご２の上方においてかご２から離れて設けられる。上側整風カバー１１は、かご２の上面との間に隙間をあけて設けられる。例えば、上側整風カバー１１は、上枠４に固定される。例えば、上側整風カバー１１は、上枠４以外の構造物に固定される。開口部１１ａは、上側整風カバー１１の中央部に形成される。開口部１１ａは、主ロープ１に貫通される。
【００２０】
上側可動体１２は、矩形状に形成される。上側可動体１２は、上側整風カバー１１における乗場と反対側の縁部に隣接する。
【００２１】
上側回転軸１３は、上側可動体１２のかご２の中央側の縁部を回転自在に支持する。
【００２２】
上側付勢体１４は、上側整風カバー１１と上側可動体１２との互いの隣接部の周囲に設けられる。具体的には、上側付勢体１４は、直上付勢部１４ａと直下付勢部１４ｂとを備える。直上付勢部１４ａは、上側整風カバー１１と上側可動体１２との互いの隣接部の直上に設けられる。直下付勢部１４ｂは、上側整風カバー１１と上側可動体１２との互いの隣接部の直下に設けられる。
【００２３】
次に、図３を用いて、かご２が上昇している際の整風システムの動作を説明する。
図３は実施の形態１におけるエレベーターの整風システムが適用されるエレベーターの要部の側面図である。
【００２４】
図３において、巻上機が一方向に回転すると、主ロープ１は、巻上機の回転に追従して移動する。かご２は、主ロープ１の移動に追従して上昇する。カウンターウェイト９は、主ロープ１の移動に追従して下降する。
【００２５】
この際、整風システムにおいて、上側可動体１２は、風圧を受ける。上側可動体１２は、当該風圧により上側回転軸１３を軸として回転する。その結果、上側可動体１２は、かご２の外側の縁部がかご２の中央側の縁部よりも下方となるように傾斜する。この際、上側可動体１２の回転範囲は、上側付勢体１４の直下付勢部１４ｂにより制限される。
【００２６】
次に、図４を用いて、かご２が下降している際の整風システムの動作を説明する。
図４は実施の形態１におけるエレベーターの整風システムが適用されるエレベーターの要部の側面図である。
【００２７】
図４において、巻上機が他方向に回転すると、主ロープ１は、巻上機の回転に追従して移動する。かご２は、主ロープ１の移動に追従して下降する。カウンターウェイト９は、主ロープ１の移動に追従して上昇する。
【００２８】
この際、整風システムにおいて、上側可動体１２は、風圧を受ける。上側可動体１２は、当該風圧により上側回転軸１３を軸として回転する。その結果、上側可動体１２は、かご２の外側の縁部がかご２の中央側の縁部よりも上方となるように傾斜する。この際、上側可動体１２の回転範囲は、上側付勢体１４の直上付勢部１４ａにより制限される。
【００２９】
以上で説明した実施の形態１によれば、上側整風カバー１１は、かご２の上方においてかご２から離れて設けられる。上側可動体１２は、上側整風カバー１１に隣接する。上側可動体１２は、かご２の中央側の縁部が回転自在に支持される。上側可動体１２は、かご２が上昇している際にかご２の外側の縁部がかご２の中央側の縁部よりも下方となるように傾斜する。上側可動体１２は、かご２が下降している際にかご２の外側の縁部がかご２の中央側の縁部よりも上方となるように傾斜する。このため、簡単な構成で、かご２の昇降時において、かご２の内部の騒音を抑制することができる。
【００３０】
また、図３と図４とに示されるように、上側可動体１２は、風圧を和らげる方向に変位する。この場合、かご２の周りの気流の乱れが抑制される。このため、かご２の周りの乱れた流れから生じる風切音の発生を抑制することができる。その結果、かご２の内部の騒音を抑制することができる。
【００３１】
実施の形態１のかご２の上部において、風路の断面積の変化は比較的緩やかである。このため、気流の速くなることを抑制できる。その結果、かご２の内部の騒音を抑制することができる。
【００３２】
実施の形態２．
図５と図６とは実施の形態２におけるエレベーターの整風システムが適用されるエレベーターの要部の側面図である。なお、実施の形態１の部分と同一又は相当部分には同一符号が付される。当該部分の説明は省略される。
【００３３】
図５と図６とに示されるように、実施の形態２の整風システムは、実施の形態１の整風システムに対して下側整風装置１５が付加されたシステムである。
【００３４】
下側整風装置１５は、下側整風カバー１６と下側可動体１７と下側回転軸１８と下側付勢体１９とを備える。下側整風カバー１６と下側可動体１７と下側回転軸１８と下側付勢体１９とは、上側整風カバー１１と上側可動体１２と上側回転軸１３と上側付勢体１４とほぼ同等の機能を有する。
【００３５】
ただし、下側整風カバー１６は、かご２の下方においてかご２から離れて設けられる。例えば、下側整風カバー１６は、下枠５に固定される。例えば、下側整風カバー１６は、下枠５以外の構造物に固定される。
【００３６】
下側付勢体１９は、直上付勢部１９ａと直下付勢部１９ｂとを備える。直上付勢部１９ａと直下付勢部１９ｂとは、直上付勢部１４ａと直下付勢部１４ｂとほぼ同等の機能を有する。
【００３７】
以上で説明した実施の形態２によれば、整風システムは、上側整風装置１０と下側整風装置１５とを備える。このため、簡単な構成で、かご２の昇降時において、かご２の内部の騒音を抑制することができる。
【００３８】
なお、上側可動体１２と下側可動体１７とは、水平投影面上においてかご２の外縁部よりも内側に配置される。このため、かご２の上昇時において、下側可動体１７は、かご２からはく離した気流が下側整風カバー１６に衝突することで生じる騒音の発生を抑制する。かご２の下降時において、上側可動体１２は、かご２からはく離した気流が上側整風カバー１１に衝突することで生じる騒音の発生を抑制する。その結果、かご２の内部の騒音をより確実に抑制することができる。
【００３９】
また、上側整風装置１０がなくてもよい。この場合、実施の形態１と同様の効果を得ることができる。
【００４０】
実施の形態３．
図７と図８とは実施の形態３におけるエレベーターの整風システムが適用されるエレベーターの要部の側面図である。なお、実施の形態２の部分と同一又は相当部分には同一符号が付される。当該部分の説明は省略される。
【００４１】
図７と図８とに示されるように、実施の形態３の整風システムは、実施の形態２の整風システムに対して上側アクチュエーター２０と下側アクチュエーター２１とが付加されたシステムである。
【００４２】
上側アクチュエーター２０は、上側回転軸１３の周囲に設けられる。上側アクチュエーター２０は、かご２の昇降速度に応じて上側回転軸１３の回転量を変化させる。その結果、上側可動体１２は、かご２の昇降速度に応じて傾斜角度を変化させる。
【００４３】
下側アクチュエーター２１は、下側回転軸１８の周囲に設けられる。下側アクチュエーター２１は、かご２の昇降速度に応じて下側回転軸１８の回転量を変化させる。その結果、下側可動体１７は、かご２の昇降速度に応じて傾斜角度を変化させる。
【００４４】
以上で説明した実施の形態３によれば、整風システムは、上側アクチュエーター２０と下側アクチュエーター２１とを備える。このため、風圧を和らげるだけでなく、かご２の周囲の気流を能動的に制御することで、かご２の周りの気流の乱れをより確実に抑制することができる。
【００４５】
この際、上側アクチュエーター２０と下側アクチュエーター２１とを連動させてもよい。例えば、前記上側可動体１２の回転角度と前記下側可動体１７の回転角度とが一致するように、上側アクチュエーター２０と下側アクチュエーター２１とを動作させてもよい。この場合、かご２の全体の周囲の気流を最適にすることができる。その結果、かご２の内部の騒音をより確実に抑制することができる。
【００４６】
なお、上側整風装置１０と下側整風装置１５とのうちのいずれか一方がなくてもよい。この場合も、かご２の周囲の気流を能動的に制御することで、かご２の周りの気流の乱れを抑制することができる。
【００４７】
実施の形態４．
図９は実施の形態４におけるエレベーターの整風システムが適用されるエレベーターの要部の上面図である。図１０は実施の形態４におけるエレベーターの整風システムが適用されるエレベーターの要部の底面図である。なお、実施の形態１の部分と同一又は相当部分には同一符号が付される。当該部分の説明は省略される。
【００４８】
図９に示されるように、実施の形態４の上側可動体１２は、複数の上側可動板１２ａを備える。複数の上側可動板１２ａは、上側回転軸１３と平行に水平方向に並んで設けられる。複数の上側可動板１２ａの各々は、かご２の中央側の縁部が上側回転軸１３に対して回転自在に支持される。複数の上側可動板１２ａの各々は、かご２が上昇している際にかご２の外側の縁部がかご２の中央側の縁部よりも下方となるように傾斜する。複数の上側可動板１２ａの各々は、かご２が下降している際にかご２の外側の縁部がかご２の中央側の縁部よりも上方となるように傾斜する。
【００４９】
図１０に示されるように、実施の形態４の下側可動体１７は、複数の下側可動板１７ａを備える。複数の下側可動板１７ａは、下側回転軸１８と平行に水平方向に並んで設けられる。複数の下側可動板１７ａの各々は、かご２の中央側の縁部が下側回転軸１８に対して回転自在に支持される。複数の下側可動板１７ａの各々は、かご２が上昇している際にかご２の外側の縁部がかご２の中央側の縁部よりも下方となるように傾斜する。複数の下側可動板１７ａの各々は、かご２が下降している際にかご２の外側の縁部がかご２の中央側の縁部よりも上方となるように傾斜する。
【００５０】
以上で説明した実施の形態４によれば、複数の上側可動板１２ａは、上側回転軸１３と平行な方向に並んで設けられる。複数の上側可動板１２ａは、同一の回転軸で回転する。この際、複数の上側可動板１２ａは、わずかな風圧で動作し得る。この場合、回転軸に平行な方向の風圧の分布に対応して、複数の上側可動板１２ａの各々は、最適な位置に変位する。その結果、風圧が和らげられる。このため、かご２の周りの気流の乱れをより確実に抑制することができる。その結果、かご２の内部の騒音をより確実に抑制することができる。
【００５１】
また、複数の下側可動板１７ａも、わずかな風圧で動作し得る。この場合、回転軸に平行な方向の風圧の分布に対応して、複数の下側可動板１７ａの各々は、最適な位置に変位する。その結果、風圧が和らげられる。このため、かご２の周りの気流の乱れをより確実に抑制することができる。その結果、かご２の内部の騒音をより確実に抑制することができる。
【００５２】
なお、上側整風装置１０と下側整風装置１５とのうちのいずれか一方がなくてもよい。この場合も、かご２の周りの気流の乱れをより確実に抑制することができる。その結果、かご２の内部の騒音をより確実に抑制することができる。
【００５３】
実施の形態５．
図１１は実施の形態５におけるエレベーターの整風システムが適用されるエレベーターの要部の上面図である。図１２は実施の形態５におけるエレベーターの整風システムが適用されるエレベーターの要部の底面図である。なお、実施の形態４の部分と同一又は相当部分には同一符号が付される。当該部分の説明は省略される。
【００５４】
図１１と図１２とに示されるように、実施の形態５の整風システムは、実施の形態４の整風システムに対して上側接続体２２と下側接続体２３とが付加されたシステムである。
【００５５】
上側接続体２２は、複数の上側可動板１２ａを接続する。
【００５６】
下側接続体２３は、複数の下側可動板１７ａを接続する。
【００５７】
以上で説明した実施の形態４によれば、上側接続体２２は、複数の上側可動板１２ａを接続する。このため、複数の上側可動板１２ａが風圧の微小な変動を受けてばたつくことで生じる騒音を抑制することができる。
【００５８】
また、下側接続体２３は、複数の下側可動板１７ａを接続する。このため、複数の下側可動板１７ａが風圧の微小な変動を受けてばたつくことで生じる騒音を抑制することができる。
【００５９】
なお、上側整風装置１０と下側整風装置１５とのうちのいずれか一方がなくてもよい。この場合も、複数の上側可動板１２ａまたは複数の下側可動板１７ａが風圧の微小な変動を受けてばたつくことで生じる騒音を抑制することができる。
【００６０】
実施の形態６．
図１３と図１４とは実施の形態６におけるエレベーターの整風システムが適用されるエレベーターの要部の正面図である。なお、実施の形態１の部分と同一又は相当部分には同一符号が付される。当該部分の説明は省略される。
【００６１】
図１３と図１４とに示されるように、カウンターウェイト９は、かご２の一側面の側を昇降する。
【００６２】
実施の形態６の整風システムにおいて、上側整風装置１０は、上側整風カバー１１と一対の上側可動体１２と一対の上側回転軸１３と上側連結体２５とを備える。
【００６３】
上側整風カバー１１は、一対の上側支柱２４を介してかご２の上面との間に隙間をあけて設けられる。
【００６４】
一対の上側可動体１２の一方は、主可動体として、かご２の一側において上側整風カバー１１の縁部に隣接する。一対の上側可動体１２の他方は、従可動体として、かご２の他側において上側整風カバー１１の縁部に隣接する。一対の上側可動体１２の他方の表面積は、一対の上側可動体１２の一方の表面積よりも小さい。
【００６５】
一対の上側回転軸１３の一方は、一対の上側可動体１２の一方におけるかご２の中央側の縁部を回転自在に支持する。一対の上側回転軸１３の他方は、一対の上側可動体１２の他方におけるかご２の中央側の縁部を回転自在に支持する。
【００６６】
上側連結体２５は、上側整風カバー１１の上方に配置される。例えば、上側連結体２５は、ワイヤーである。上側連結体２５の一側は、一対の上側可動体１２の一方におけるかご２とは反対側の面に連結される。上側連結体２５の他側は、一対の上側可動体１２の他方におけるかご２とは反対側の面に連結される。
【００６７】
実施の形態６の整風システムにおいて、下側整風装置１５は、下側整風カバー１６と一対の下側可動体１７と一対の下側回転軸１８と下側連結体２７とを備える。
【００６８】
下側整風カバー１６は、一対の下側支柱２６を介してかご２の下面との間に隙間をあけて設けられる。
【００６９】
一対の下側可動体１７の一方は、主可動体として、かご２の一側において下側整風カバー１６の縁部に隣接する。一対の下側可動体１７の他方は、従可動体として、かご２の他側において下側整風カバー１６の縁部に隣接する。一対の下側可動体１７の他方の表面積は、一対の下側可動体１７の一方の表面積よりも小さい。
【００７０】
一対の下側回転軸１８の一方は、一対の下側可動体１７の一方におけるかご２の中央側の縁部を回転自在に支持する。一対の下側回転軸１８の他方は、一対の下側可動体１７の他方におけるかご２の中央側の縁部を回転自在に支持する。
【００７１】
下側連結体２７は、下側整風カバー１６の下方に配置される。例えば、下側連結体２７は、ワイヤーである。下側連結体２７の一側は、一対の下側可動体１７の一方におけるかご２とは反対側の面に連結される。下側連結体２７の他側は、一対の下側可動体１７の他方におけるかご２とは反対側の面に連結される。
【００７２】
図１３に示されるように、かご２の上昇時において、一対の上側可動体１２の一方が受ける風圧は、一対の上側可動体１２の他方が受ける風圧よりも大きい。その結果、一対の上側可動体１２の一方は、かご２の外側の縁部がかご２の中央側の縁部よりも下方となるように傾斜する。この際、一対の上側可動体１２の他方は、上側連結体２５を介して一対の上側可動体１２の一方と連動することで、かご２の外側の縁部がかご２の中央側の縁部よりも上方となるように傾斜する。
【００７３】
この状態において、かご２の上部の周りの気流は、カウンターウェイト９の側に導かれる。
【００７４】
図１４に示されるように、かご２の下降時において、一対の下側可動体１７の一方が受ける風圧は、一対の下側可動体１７の他方が受ける風圧よりも大きい。その結果、一対の下側可動体１７の一方は、かご２の外側の縁部がかご２の中央側の縁部よりも上方となるように傾斜する。この際、一対の下側可動体１７の他方は、下側連結体２７を介して一対の下側可動体１７の一方と連動することで、かご２の外側の縁部がかご２の中央側の縁部よりも下方となるように傾斜する。
【００７５】
この状態において、かご２の下部の周りの気流は、カウンターウェイト９の側に導かれる。
【００７６】
以上で説明した実施の形態６によれば、かご２の上昇時において、一対の上側可動体１２が連動することで、かご２の上部の周りの空気をカウンターウェイト９の側に導くことができる。かご２の下降時において、一対の下側可動体１７が連動することで、かご２の下部の周りの空気をカウンターウェイト９の側に導くことができる。昇降路の空間において、かご２から乗場の側は、かご２から他の側に比べて狭い。このため、気流が狭い空間を通過することで生じる風切音を抑制することができる。その結果、かご２の内部の騒音を抑制することができる。
【００７７】
なお、実施の形態６の上側整風装置１０と下側整風装置１５とのうちの一方のみを設けてもよい。
【００７８】
また、実施の形態６の上側整風装置１０と下側整風装置１５とのうちの少なくとも一方をカウンターウェイト９がかご２の背面の側を昇降するエレベーターに適用してもよい。
【００７９】
実施の形態７．
図１５は実施の形態７におけるエレベーターの整風システムが適用されるエレベーターのかごの正面図である。なお、実施の形態１の部分と同一又は相当部分には同一符号が付される。当該部分の説明は省略される。
【００８０】
図１５に示されるように、上側整風カバー１１は、第１上側可動部１１ｂと第２上側可動部１１ｃと上側固定部１１ｄとを備える。
【００８１】
例えば、第１上側可動部１１ｂは、かご２の左部の上方に設けられる。例えば、第２上側可動部１１ｃは、かご２の右部の上方に設けられる。例えば、上側固定部１１ｄは、かご２の左右方向の中央部の上方に設けられる。例えば、上側固定部１１ｄは、第１上側可動部１１ｂと第２上側可動部１１ｃとの間に設けられる。例えば、上側固定部１１ｄは、上枠４に固定される。
【００８２】
第１上側可動部１１ｂにおいて、かご２の中央側の縁部は、上側固定部１１ｄの縁部に回転自在に取り付けられる。例えば、第１上側可動部１１ｂにおいて、かご２の中央側の縁部は、回転軸によって上側固定部１１ｄの縁部に回転自在に取り付けられる。第１上側可動部１１ｂは、かご２の中央側の縁部を軸として回転することで、かご２の外側の縁部が上方に立ち上がり得るように設けられる。
【００８３】
第２上側可動部１１ｃにおいて、かご２の中央側の縁部は、上側固定部１１ｄの縁部に回転自在に取り付けられる。例えば、第２上側可動部１１ｃにおいて、かご２の中央側の縁部は、回転軸によって上側固定部１１ｄの縁部に回転自在に取り付けられる。第２上側可動部１１ｃは、かご２の中央側の縁部を軸として回転することで、かご２の外側の縁部が上方に立ち上がり得るように設けられる。
【００８４】
エレベーターの平常運転時において、上側整風装置１０は、かご２の上方でかご２の上部に近づけられる。具体的には、第１上側可動部１１ｂと第２上側可動部１１ｃとは、上側固定部１１ｄと同じ平面上に配置された状態に維持される。
【００８５】
エレベーターのメンテナンス時において、上側整風装置１０は、かご２の上方でかご２から遠ざけられる。具体的には、第１上側可動部１１ｂと第２上側可動部１１ｃとは、かご２の外側の縁部が上方に立ち上がった状態に維持される。
【００８６】
以上で説明した実施の形態７によれば、エレベーターの平常運転時において、上側整風装置１０は、かご２の上方でかご２の上部に近づけられる。このため、昇降路の頂部の高さを低くしても、かご２が最上の位置に移動した際に上側整風装置１０と昇降路の頂部との間に隙間を確保することができる。
【００８７】
また、エレベーターのメンテナンス時において、上側整風装置１０は、かご２の上方において上側整風装置１０をかご２から遠ざけられる。このため、かご２の直上において、高さ方向の作業スペースをより多く確保することができる。その結果、作業員は、かご２の直上でエレベーターのメンテナンスを容易に行うことができる。
【００８８】
なお、図示されないが、第１上側可動部１１ｂと第２上側可動部１１ｃとの回転を制限する上側整風カバー用ストッパーを設けてもよい。この場合、上側整風カバー用ストッパーにより、第１上側可動部１１ｂと第２上側可動部１１ｃとが上方に立ち上げられる前の状態と上方に立ち上げられた後の状態のそれぞれの状態で維持されれば、エレベーターの平常運転時とメンテナンス時とのそれぞれの時において、上側整風装置１０を適切な状態に維持することができる。
【００８９】
また、図示されないが、第１上側可動部１１ｂと第２上側可動部１１ｃとをかご２の外側の縁部が上方に立ち上がる回転方向に付勢する上側整風カバー用付勢体を設けてもよい。この場合、エレベーターのメンテナンス時において、作業員が第１上側可動部１１ｂと第２上側可動部１１ｃとにおけるかご２の外側の縁部を上方に立ち上げる際の力を軽減することができる。
【００９０】
また、図示されないが、第１上側可動部１１ｂと第２上側可動部１１ｃとのそれぞれをさらに分割してもよい。この場合、分割された第１上側可動部１１ｂと第２上側可動部１１ｃとのそれぞれが回転軸によって独立して回転自在となるようにしてもよい。
【００９１】
実施の形態８．
図１６は実施の形態８におけるエレベーターの整風システムが適用されるエレベーターのかごの正面図である。なお、実施の形態１の部分と同一又は相当部分には同一符号が付される。当該部分の説明は省略される。
【００９２】
図１６に示されるように、上側整風装置１０は、複数の上側昇降支持体１１ｅを備える。複数の上側昇降支持体１１ｅは、かご２の上方においてかご２の幅方向に並んで設けられる。例えば、複数の上側昇降支持体１１ｅは、上枠４の上面に固定される。例えば、複数の上側昇降支持体１１ｅの各々は、折畳み自在な支柱である。複数の上側昇降支持体１１ｅは、かご２の上面との間に隙間をあけて上側整風カバー１１を支持する。複数の上側昇降支持体１１ｅは、上側整風カバー１１を上下方向に移動自在に支持する。
【００９３】
エレベーターの平常運転時において、上側整風装置１０は、かご２の上方でかご２の上部に近づけられる。具体的には、複数の上側昇降支持体１１ｅの各々が折り畳まれることで、上側整風カバー１１は、上枠４の直上に配置された状態に維持される。
【００９４】
エレベーターのメンテナンス時において、上側整風装置１０は、かご２の上方でかご２の上部から遠ざけられる。具体的には、複数の上側昇降支持体１１ｅの各々が折り畳みからの解放により一直線状となることで、上側整風カバー１１は、上枠４との間に隙間をあけた状態に維持される。
【００９５】
以上で説明した実施の形態８によれば、エレベーターの平常運転時において、上側整風装置１０は、かご２の上方でかご２の上部に近づけられる。このため、昇降路の頂部の高さを低くしても、かご２が最上の位置に移動した際に上側整風装置１０と昇降路の頂部との間に隙間を確保することができる。
【００９６】
また、エレベーターのメンテナンス時において、上側整風装置１０は、かご２の上方において上側整風装置１０をかご２の上部から遠ざけられる。このため、かご２の直上において、高さ方向の作業スペースをより多く確保することができる。その結果、作業員は、かご２の直上でエレベーターのメンテナンスを容易に行うことができる。
【００９７】
なお、図示されないが、上側整風装置１０の上下方向の移動を制限する上側整風装置用ストッパーを設けてもよい。この場合、上側整風装置用ストッパーにより、上側整風装置１０が上方に移動される前の状態と上方に移動された後の状態のそれぞれの状態で維持されれば、エレベーターの平常運転時とメンテナンス時とのそれぞれの時において、上側整風装置１０を適切な状態に維持することができる。
【００９８】
また、図示されないが、上側整風カバー１１を上方に付勢する上側整風装置用付勢体を設けてもよい。この場合、エレベーターのメンテナンス時において、作業員が上側整風カバー１１を上方に移動させる際の力を軽減することができる。
【００９９】
また、図示されないが、上側整風装置１０を分割してもよい。この場合、分割された上側整風装置１０のそれぞれが上側昇降支持体１１ｅによって独立して上下方向に移動自在となるようにしてもよい。
【０１００】
実施の形態９．
図１７は実施の形態９におけるエレベーターの整風システムが適用されるエレベーターのかごの側面図である。なお、実施の形態１の部分と同一又は相当部分には同一符号が付される。当該部分の説明は省略される。
【０１０１】
図１７に示されるように、下側整風カバー１６は、第１下側可動部１６ａと第２下側可動部１６ｂと下側固定部１６ｃとを備える。
【０１０２】
例えば、第１下側可動部１６ａは、かご２の前部の下方に設けられる。例えば、第２下側可動部１６ｂは、かご２の後部の下方に設けられる。例えば、下側固定部１６ｃは、かご２の前後方向の中央部の下方に設けられる。例えば、下側固定部１６ｃは、第１下側可動部１６ａと第２下側可動部１６ｂとの間に設けられる。例えば、下側固定部１６ｃは、下枠５に固定される。
【０１０３】
第１下側可動部１６ａにおいて、かご２の中央側の縁部は、下側固定部１６ｃの縁部に回転自在に取り付けられる。例えば、第１下側可動部１６ａにおいて、かご２の中央側の縁部は、回転軸によって下側固定部１６ｃの縁部に回転自在に取り付けられる。第１下側可動部１６ａは、かご２の中央側の縁部を軸として回転することで、かご２の外側の縁部が下方に垂れ下がり得るように設けられる。
【０１０４】
第２下側可動部１６ｂにおいて、かご２の中央側の縁部は、下側固定部１６ｃの縁部に回転自在に取り付けられる。例えば、第２下側可動部１６ｂにおいて、かご２の中央側の縁部は、回転軸によって下側固定部１６ｃの縁部に回転自在に取り付けられる。第２下側可動部１６ｂは、かご２の中央側の縁部を軸として回転することで、かご２の外側の縁部が下方に垂れ下がり得るように設けられる。
【０１０５】
エレベーターの平常運転時において、下側整風装置１５は、かご２の下方でかご２の下部に近づけられる。具体的には、第１下側可動部１６ａと第２下側可動部１６ｂとは、下側固定部１６ｃと同じ平面上に配置された状態に維持される。
【０１０６】
エレベーターのメンテナンス時において、下側整風装置１５は、かご２の下方でかご２から遠ざけられる。具体的には、第１下側可動部１６ａと第２下側可動部１６ｂとは、かご２の外側の縁部が下方に垂れ下がった状態に維持される。
【０１０７】
以上で説明した実施の形態９によれば、エレベーターの平常運転時において、下側整風装置１５は、かご２の下方でかご２の下部に近づけられる。このため、昇降路の底部の深さを浅くしても、かご２が最下の位置に移動した際に下側整風装置１５と昇降路の底部との間に隙間を確保することができる。
【０１０８】
また、エレベーターのメンテナンス時において、下側整風装置１５は、かご２の下方においてかご２から遠ざけられる。このため、かご２の直下において、高さ方向の作業スペースをより多く確保することができる。その結果、作業員は、かご２の直下でエレベーターのメンテナンスを容易に行うことができる。
【０１０９】
なお、図示されないが、第１下側可動部１６ａと第２下側可動部１６ｂとの回転を制限する下側整風カバー用ストッパーを設けてもよい。この場合、下側整風カバー用ストッパーにより、第１下側可動部１６ａと第２下側可動部１６ｂとが下方に垂れ下げられる前の状態と下方に垂れ下げられた後の状態のそれぞれの状態で維持されれば、エレベーターの平常運転時とメンテナンス時とのそれぞれの時において、下側整風装置１５を適切な状態に維持することができる。
【０１１０】
また、図示されないが、第１下側可動部１６ａと第２下側可動部１６ｂとを下側固定部１６ｃから遠い方の縁部が上方に立ち上がる回転方向に付勢する下側整風カバー用付勢体を設けてもよい。この場合、エレベーターのメンテナンス時において、作業員が第１下側可動部１６ａと第２下側可動部１６ｂとの下側固定部１６ｃから遠い方の縁部を上方に立ち上げる際の力を軽減することができる。
【０１１１】
また、図示されないが、第１下側可動部１６ａと第２下側可動部１６ｂとのそれぞれをさらに分割してもよい。この場合、分割された第１下側可動部１６ａと第２下側可動部１６ｂとのそれぞれが回転軸によって独立して回転自在となるようにしてもよい。
【０１１２】
実施の形態１０．
図１８は実施の形態１０におけるエレベーターの整風システムが適用されるエレベーターのかごの側面図である。なお、実施の形態１の部分と同一又は相当部分には同一符号が付される。当該部分の説明は省略される。
【０１１３】
図１８に示されるように、下側整風装置１５は、複数の下側昇降支持体１６ｅを備える。複数の下側昇降支持体１６ｅは、かご２の下方においてかご２の奥行方向に並んで設けられる。例えば、複数の下側昇降支持体１６ｅは、下枠５に固定される。例えば、複数の下側昇降支持体１６ｅの各々は、伸縮自在な支柱である。複数の下側昇降支持体１６ｅは、かご２の下面との間に隙間をあけて下側整風カバー１６を支持する。複数の下側昇降支持体１６ｅは、下側整風カバー１６を上下方向に移動自在に支持する。
【０１１４】
エレベーターの平常運転時において、下側整風装置１５は、かご２の下方でかご２の下部に近づけられる。具体的には、複数の下側昇降支持体１６ｅの各々が縮められることで、下側整風カバー１６は、下枠５の直下に配置された状態に維持される。
【０１１５】
エレベーターのメンテナンス時において、下側整風装置１５は、かご２の下方でかご２下部から遠ざけられる。具体的には、複数の下側昇降支持体１６ｅの各々が伸ばされることで、下側整風カバー１６は、下枠５との間に隙間をあけた状態に維持される。
【０１１６】
以上で説明した実施の形態１０によれば、エレベーターの平常運転時において、下側整風装置１５は、かご２の下方でかご２の下部に近づけられる。このため、昇降路の底部の深さを浅くしても、かご２が最下の位置に移動した際に下側整風装置１５と昇降路の底部との間に隙間を確保することができる。
【０１１７】
また、エレベーターのメンテナンス時において、下側整風装置１５は、かご２の下方においてかご２から遠ざけられる。このため、かご２の直下において、高さ方向の作業スペースをより多く確保することができる。その結果、作業員は、かご２の直下でエレベーターのメンテナンスを容易に行うことができる。
【０１１８】
なお、図示されないが、下側整風装置１５の上下方向の移動を制限する下側整風装置用ストッパーを設けてもよい。この場合、下側整風装置用ストッパーにより、下側整風装置１５が上方に移動される前の状態と上方に移動された後の状態のそれぞれの状態で維持されれば、エレベーターの平常運転時とメンテナンス時とのそれぞれの時において、下側整風装置１５を適切な状態に維持することができる。
【０１１９】
また、図示されないが、下側整風装置１５を上方に付勢する下側整風装置用付勢体を設けてもよい。この場合、エレベーターのメンテナンス時において、作業員が下側整風カバー１６を上方に移動させる際の力を軽減することができる。
【０１２０】
また、図示されないが、下側整風装置１５を分割してもよい。この場合、分割された下側整風装置１５のそれぞれが下側昇降支持体１６ｅによって独立して上下方向に移動自在となるようにしてもよい。
【産業上の利用可能性】
【０１２１】
以上のように、本開示のエレベーターの整風システムは、エレベーターシステムに利用できる。
【符号の説明】
【０１２２】
１  主ロープ、  ２  かご、  ３  かご枠、  ４  上枠、  ５  下枠、  ６  縦柱、  ７  ドア、  ８  エプロン、  ９  カウンターウェイト、  １０  上側整風装置、  １１  上側整風カバー、  １１ａ  開口部、  １１ｂ  第１上側可動部、  １１ｃ  第２上側可動部、  １１ｄ  上側固定部、１１ｅ  上側昇降支持体、  １２  上側可動体、  １２ａ  上側可動板、  １３  上側回転軸、  １４  上側付勢体、  １４ａ  直上付勢部、  １４ｂ  直下付勢部、  １５  下側整風装置、  １６  下側整風カバー、  １６ａ  第１下側可動部、  １６ｂ  第２下側可動部、  １６ｃ  下側固定部、  １６ｅ  下側昇降支持体、  １７  下側可動体、  １７ａ  下側可動板、  １８  下側回転軸、  １９  下側付勢体、  １９ａ  直上付勢部、  １９ｂ  直下付勢部、  ２０  上側アクチュエーター、  ２１  下側アクチュエーター、  ２２  上側接続体、  ２３  下側接続体、  ２４  上側支柱、  ２５  上側連結体、  ２６  下側支柱、  ２７  下側連結体
【要約】
かごの昇降時において、かごの内部の騒音を抑制することができるエレベーターの整風システムを提供する。エレベーターの監視装置は、を備えた。本開示に係るエレベーターの整風システムは、エレベーターのかごの上方または下方において前記かごから離れて設けられた整風カバーと、前記整風カバーに隣接し、前記かごの中央側の縁部が回転自在に支持され、前記かごが上昇している際に前記かごの外側の縁部が前記かごの中央側の縁部よりも下方となるように傾斜し、前記かごが下降している際に前記かごの外側の縁部が前記かごの中央側の縁部よりも上方となるように傾斜する可動体と、を備えた。【図１】
0006930676.tif 000002
【図２】
0006930676.tif 000003
【図３】
0006930676.tif 000004
【図４】
0006930676.tif 000005
【図５】
0006930676.tif 000006
【図６】
0006930676.tif 000007
【図７】
0006930676.tif 000008
【図８】
0006930676.tif 000009
【図９】
0006930676.tif 000010
【図１０】
0006930676.tif 000011
【図１１】
0006930676.tif 000012
【図１２】
0006930676.tif 000013
【図１３】
0006930676.tif 000014
【図１４】
0006930676.tif 000015
【図１５】
0006930676.tif 000016
【図１６】
0006930676.tif 000017
【図１７】
0006930676.tif 000018
【図１８】
0006930676.tif 000019